(57)【要約】【課題】発射装置と発射球導入路との適切な位置決めおよび発射装置と開閉部材との適切な位置決めを容易に実現でき、組立時の作業性を高められる遊技機を提供する。【解決手段】遊技盤６を保持する前面枠３の前面側に発射装置取付部３４を設け、ここに発射装置１０を取り付けることで発射誘導路１０ｂの上端を発射球導入路６ｂの下端に適合させ、この発射装置１０のヒンジ構成部１０１ｃには上部ヒンジ１０５と下部ヒンジ１０６を各々設け、開閉部材用ヒンジ軸１０５ａを開閉部材の開閉部材ヒンジ孔に、開閉部材用ヒンジ孔１０６ａに開閉部材の開閉部材ヒンジ軸を各々嵌合させて、発射装置１０に開閉部材を軸着し、開閉部材の裏面側に設けた球送り機構の発射球送り込み口を発射装置１０の発射球取込口１０３ａに精度良く一致させ、発射装置１０への安定した球送りと発射装置１０から遊技盤６への安定した弾発を可能とする。【選択図】図２
2007190259.tif 000002
【特許請求の範囲】
【請求項１】
遊技盤を保持する前面枠と、該前面枠に対して開閉可能に取り付けられ、遊技球を貯留可能な球貯留皿を備える開閉部材と、前記球貯留皿に貯留された遊技球を遊技盤の遊技領域に向けて発射するための発射装置とを備える遊技機において、
前記前面枠には、発射装置収容空部内へ前面側から前記発射装置を収容して固定保持する発射装置取付部を形成し、
前記発射装置は、
前記球供給皿から発射位置に供給された遊技球を弾発する弾発部材と、
前記弾発部材を駆動する駆動源と、
前記弾発部材および前記駆動源を取り付ける発射ベース部材と、
を備え、
前記発射ベース部材には、前記開閉部材を開閉可能に軸着する軸着部を形成することで、前面枠の発射装置取付部に固定保持された発射装置にて前記開閉部材を開閉可能に保持するようにしたことを特徴とする遊技機。
【請求項２】
前記発射装置取付部には、
前記発射装置収容空部内で発射ベース部材が動くことを抑制して固定する固定状態と、発射装置収容空部から発射装置を取り外せる固定解除状態と、に変換可能な発射装置固定手段、
を設けたことを特徴とする請求項１に記載の遊技機。
【請求項３】
前記発射装置固定手段は、少なくとも、
発射装置収容空部の上下幅を後方に向って狭小ならしめる上下動抑制部と、
発射装置収容空部の一側方に設けられ、発射ベース部材の第１側部を係合させることで、発射ベース部材を前後動困難に保持する側部係合部と、
発射装置収容空部の他側方に設けられ、前記側部係合部に第１側部が係合された発射ベース部材の他側である第２側部を前後動困難に固定する固定状態と、発射ベース部材の第２側部を前後動可能に開放する固定解除状態とに変換可能な固定部材と、
を備えることを特徴とする請求項２に記載の遊技機。
【請求項４】
前記発射装置固定手段の固定部材は、
前後方向の軸回りに回動自在に軸着される回動部と、
前記回動部から回動軸方向に直交するよう延出する固定腕部と、
を備え、
前記固定腕部が発射装置収容空部から退避するように回動部を回動させることで固定解除状態を、発射装置収容空部内に収容された発射ベース部材の第２側部前面に固定腕部を係合させることで固定状態を、各々生ぜしめるようにしたことを特徴とする請求項３に記載の遊技機。
【請求項５】
前記発射装置固定手段には、固定部材を固定解除状態から固定状態へ変換することに伴って、発射ベース部材の第２側部を第１側部へ押圧する側方移動抑制部を設けたことを特徴とする請求項３又は請求項４の何れか１項に記載の遊技機。
【請求項６】
前記発射ベース部材には、弾発部材により弾発された遊技球を、遊技盤の遊技領域に連通する発射球導入路へガイドする発射球ガイド部材を設け、
前記前面枠の発射装置収容空部に発射装置が固定保持されたときに、発射装置の発射球ガイド部材の上端が、前面枠に収容された遊技盤の発射球導入路下端まで延出するようにしたことを特徴とする請求項１〜請求項５の何れか１項に記載の遊技機。
【発明の詳細な説明】
【技術分野】
【０００１】
本発明は、遊技盤を保持する前面枠と、該前面枠に対して開閉可能に取り付けられ、遊技球を貯留可能な球貯留皿を備える開閉部材と、前記球貯留皿に貯留された遊技球を遊技盤の遊技領域に向けて発射するための発射装置とを備える遊技機に関する。
【背景技術】
【０００２】
従来、遊技球を用いた弾発遊技を行える遊技機においては、球供給皿に貯留された遊技球を球送り装置により１個宛て発射装置の発射位置に供給し、発射位置にて待機する遊技球を発射装置の弾発部により弾発して発射勢を与え、遊技盤の発射球導入領域を通り抜けた遊技球が遊技領域へ到達するように構成されている。
【０００３】
このように、発射装置により発射された遊技球は、まず遊技盤の発射球導入路を通って行くため、発射装置で弾発された遊技球の発射勢が極端に減衰してしまうような事がないように、発射球導入路に対する発射装置の適切な位置決めを行うべく、遊技盤が固定保持される前面枠に発射装置を固定するものとなっている（例えば、特許文献１を参照）。
【０００４】
【特許文献１】特開２００４−１９４８８１号公報
【発明の開示】
【発明が解決しようとする課題】
【０００５】
しかしながら、前記特許文献１に記載の遊技機においては、発射装置を前面枠に固定することから、発射球導入路に対する発射装置の位置決めは微調整できるものの、発射用の遊技球を貯留する球貯留皿が設けられる開閉部材との適正な位置決めは、別途行わなければならず、作業性が悪いという問題がある。
【０００６】
すなわち、球貯留皿から発射装置へ遊技球を供給する球供給機構の球送り口（開閉部材の裏面側に開口）が、発射装置の球取込口（発射装置の前面側に開口）からずれていると、発射装置の発射位置へ遊技球が常に適切な状態で供給されないため、発射装置の弾発部による弾発位置が微妙にブレてムラ飛びの原因となってしまうので、開閉部材を何度も開け閉めして、開閉部材の取付位置や発射装置の取付位置を慎重に調整しなければならない。しかも、特許文献１に記載の遊技機では、発射装置を前面枠の裏面から取り付ける構造であり、調整作業を一層困難にしている。
【０００７】
なお、球供給機構の球送り口と発射装置の球取込口との位置合わせを容易に行う方法として、発射装置を開閉部材側に取り付ける方法が考えられるものの、開閉部材は頻繁に開閉される関係上、前面枠に対して強固に固定する構造は採られていないし、開閉部材自体が軽量に構成されているため、発射装置を開閉部材に取り付けてしまうと、発射装置の激しい弾発動作で開閉部材が振動し、ムラ飛びが発生してしまう可能性が高く、これを回避できる開閉部材や発射装置の固定手法が必要となる。よって、球供給皿が設けられる開閉部材と発射装置とを単純に一体化するだけでは問題解決にならない。
【０００８】
そこで、本発明は、上記問題点に鑑み、発射装置と発射球導入路との適切な位置決めおよび発射装置と開閉部材との適切な位置決めを容易に実現でき、組立時の作業性を高められる遊技機の提供を目的とする。
【課題を解決するための手段】
【０００９】
上記の課題を解決するために、請求項１に係る発明は、遊技盤を保持する前面枠と、該前面枠に対して開閉可能に取り付けられ、遊技球を貯留可能な球貯留皿を備える開閉部材と、前記球貯留皿に貯留された遊技球を遊技盤の遊技領域に向けて発射するための発射装置とを備える遊技機において、前記前面枠には、発射装置収容空部内へ前面側から前記発射装置を収容して固定保持する発射装置取付部を形成し、前記発射装置は、前記球供給皿から発射位置に供給された遊技球を弾発する弾発部材と、前記弾発部材を駆動する駆動源と、前記弾発部材および前記駆動源を取り付ける発射ベース部材と、を備え、前記発射ベース部材には、前記開閉部材を開閉可能に軸着する軸着部を形成することで、前面枠の発射装置取付部に固定保持された発射装置にて前記開閉部材を開閉可能に保持するようにしたことを特徴とする。
【００１０】
また、請求項２に係る発明は、前記請求項１に記載の遊技機において、前記発射装置取付部には、前記発射装置収容空部内で発射ベース部材が動くことを抑制して固定する固定状態と、発射装置収容空部から発射装置を取り外せる固定解除状態と、に変換可能な発射装置固定手段、を設けたことを特徴とする。
【００１１】
また、請求項３に係る発明は、前記請求項２に記載の遊技機において、前記発射装置固定手段は、少なくとも、発射装置収容空部の上下幅を後方に向って狭小ならしめる上下動抑制部と、発射装置収容空部の一側方に設けられ、発射ベース部材の第１側部を係合させることで、発射ベース部材を前後動困難に保持する側部係合部と、発射装置収容空部の他側方に設けられ、前記側部係合部に第１側部が係合された発射ベース部材の他側である第２側部を前後動困難に固定する固定状態と、発射ベース部材の第２側部を前後動可能に開放する固定解除状態とに変換可能な固定部材と、を備えることを特徴とする。
【００１２】
また、請求項４に係る発明は、前記請求項３に記載の遊技機において、前記発射装置固定手段の固定部材は、前後方向の軸回りに回動自在に軸着される回動部と、前記回動部から回動軸方向に直交するよう延出する固定腕部と、を備え、前記固定腕部が発射装置収容空部から退避するように回動部を回動させることで固定解除状態を、発射装置収容空部内に収容された発射ベース部材の第２側部前面に固定腕部を係合させることで固定状態を、各々生ぜしめるようにしたことを特徴とする。
【００１３】
また、請求項５に係る発明は、前記請求項３又は請求項４の何れか１項に記載の遊技機において、前記発射装置固定手段には、固定解除状態から固定状態へ変換することに伴って、発射ベース部材の第２側部を第１側部へ押圧する側方移動抑制部を設けたことを特徴とする。
【００１４】
また、請求項６に係る発明は、前記請求項１〜請求項５の何れか１項に記載の遊技機において、前記発射ベース部材には、弾発部材により弾発された遊技球を、遊技盤の遊技領域に連通する発射球導入路へガイドする発射球ガイド部材を設け、前記前面枠の発射装置収容空部に発射装置が固定保持されたときに、発射装置の発射球ガイド部材の上端が、前面枠に収容された遊技盤の発射球導入路下端まで延出するようにしたことを特徴とする。
【発明の効果】
【００１５】
請求項１に係る遊技機によれば、前記前面枠には、発射装置収容空部内へ前面側から前記発射装置を収容して固定保持する発射装置取付部を形成し、前記発射装置は、球供給皿から発射位置に供給された遊技球を弾発する弾発部材と、前記弾発部材を駆動する駆動源と、前記弾発部材および前記駆動源を取り付ける発射ベース部材と、を備え、前記発射ベース部材には、前記開閉部材を開閉可能に軸着する軸着部を形成することで、前面枠の発射装置取付部に固定保持された発射装置にて前記開閉部材を開閉可能に保持するようにしたので、球貯留皿が設けられる開閉部材から発射装置へ適切に球供給できるような調整作業が容易になる。加えて、発射装置は前面枠の発射装置取付部に固定保持されるので、駆動源の駆動による振動が発射装置自体に影響することを抑制し、発射装置による安定的な弾発動作を期せる。さらに、発射装置は、発射装置取付部の発射装置収容空部へ前面側から固定保持するので、前面枠の裏面から発射装置を取り付ける場合に比して、格段に作業性が良いという利点もある。
【００１６】
また、請求項２に係る遊技機によれば、前記発射装置取付部には、前記発射装置収容空部内で発射ベース部材が動くことを抑制して固定する固定状態と、発射装置収容空部から発射装置を取り外せる固定解除状態と、に変換可能な発射装置固定手段、を設けたので、発射装置取付部に対する発射装置の取付作業や取外作業を効率良く行うことができる。
【００１７】
また、請求項３に係る遊技機によれば、前記発射装置固定手段は、少なくとも、発射装置収容空部の上下幅を後方に向って狭小ならしめる上下動抑制部と、発射装置収容空部の一側方に設けられ、発射ベース部材の第１側部を係合させることで、発射ベース部材を前後動困難に保持する側部係合部と、発射装置収容空部の他側方に設けられ、前記側部係合部に第１側部が係合された発射ベース部材の他側である第２側部を前後動困難に固定する固定状態と、発射ベース部材の第２側部を前後動可能に開放する固定解除状態とに変換可能な固定部材と、を備えるので、発射装置の発射ベース部材を発射装置収容空部の後方へ押し込んで行くだけで、上下動抑制部によって発射ベース部材を上下動困難に固定できると共に、上下動抑制部と発射ベース部材との接触により発射ベース部材の左右方向への動作も抑制でき、更に、側部係合部と固定部材とによって発射ベース部材は前後動困難に固定され、簡易な構造で発射装置を強固に固定保持できる。
【００１８】
また、請求項４に係る遊技機によれば、前記発射装置固定手段の固定部材は、前後方向の軸回りに回動自在に軸着される回動部と、前記回動部から回動軸方向に直交するよう延出する固定腕部と、を備え、前記固定腕部が発射装置収容空部から退避するように回動部を回動させることで固定解除状態を、発射装置収容空部内に収容された発射ベース部材の第２側部前面に固定腕部を係合させることで固定状態を、各々生ぜしめるようにしたので、固定部材の固定腕部を回動させるという簡易な操作で状態変換を行うことができ、作業性が一層良くなる。
【００１９】
また、請求項５に係る遊技機によれば、前記発射装置固定手段には、固定部材を固定解除状態から固定状態へ変換することに伴って、発射ベース部材の第２側部を第１側部へ押圧する側方移動抑制部を設けたので、固定部材を固定状態に変換すると、発射装置の発射ベース部材を前後動困難に固定すると同時に、側方移動抑制部により発射ベース部材は側方移動困難に固定され、簡易な構造で発射装置を強固に固定保持できる。
【００２０】
また、請求項６に係る遊技機によれば、前記発射ベース部材には、弾発部材により弾発された遊技球を、遊技盤の遊技領域に連通する発射球導入路へガイドする発射球ガイド部材を設け、前記前面枠の発射装置収容空部に発射装置が固定保持されたときに、発射装置の発射球ガイド部材の上端が、前面枠に収容された遊技盤の発射球導入路下端まで延出するようにしたので、発射装置に設けた発射球ガイド部材から遊技盤の発射球導入路へ適切に球供給できるようにする調整作業が容易となるし、弾発部材に弾発された遊技球は発射球ガイド部材から発射球導入路へ円滑に導入されることとなり、ムラ飛び防止に有効である。
【発明を実施するための最良の形態】
【００２１】
次に、本発明に係る遊技機の実施形態を添付図面に基づき詳細に説明する。
【００２２】
図１に示すのは、弾球遊技を行える遊技機１の正面図である。本実施形態として示す遊技機１には遊技に関連した各種機能（後に詳述）を付加し、遊技機１の一側方には、プリペイドカード（所定の金額で予め販売される弾球遊技用のカードであって、通貨と等価な有価データを記憶させたものをいう）の使用を可能ならしめるカード制御機能や球貸制御機能等を付加した球貸ユニット（図示を省略）を設け、球貸ユニットで借り受けた遊技球を用いて遊技機１で遊技を行えるようにした。なお、球貸ユニットが備える機能の全部もしくは一部を遊技機１に付加し、遊技機１から遊技球を貸し出すようにしても良い。
【００２３】
遊技機１は、額縁状の本体枠２の前面側に各種の遊技機能部が設けられた前面枠３を開閉可能に設け、該前面枠３の前面側に透明部材保持枠４と開閉部材５を各々開閉可能に設けた外観を有するものである。この遊技機１は、遊技店内の基台Ｂ上に列設され、遊技機列よりなる遊技島が構成される。
【００２４】
図２は、透明部材保持枠４と開閉部材５を取り外した前面枠３の正面図で、前面枠の一側（図１および図２においては左側）上部に設けた上部ヒンジ３１のヒンジ孔３１ａと下部に設けた下部ヒンジ３２のヒンジ孔３２ａが、各々本体枠２の一側（図１および図２においては左側）上部に設けた上部ヒンジ２１のヒンジ軸２１ａと下部に設けた下部ヒンジ２２のヒンジ軸２２ａに各々嵌合することで、前面枠３の上下部ヒンジ３１，３２を設けた左側が軸着側となり、他側（図１および図２においては右側）が開放側となる。なお、前面枠３に回動可能に取り付けられる透明部材保持枠４および開閉部材５の軸着側も、前面枠３の軸着側と一致させ、前面枠３，透明部材保持枠４，開閉部材５を開放したときに本体枠２に掛かる重量負荷を一側に集中させるものとした。
【００２５】
前記透明部材保持枠４は、透明なガラスや硬質合成樹脂等よりなる透明部材４ａを保持するもので、この透明部材４ａを通して、その背面側に装着された遊技盤６の遊技領域６ａが遊技者から視認可能となる。また、透明部材保持枠４の適所には、発光演出や報知動作等に用いる装飾部材４ｂ、演出用効果音の出力や音声報知等に用いるスピーカ４ｃを設けてある。
【００２６】
前記遊技盤６の遊技領域６ａは、区画部材７によって区画された略円形状の領域で、発射球導入路６ｂを介して遊技球が導入される領域である。この遊技領域６ａには、遊技球の流下状態に変化を与える障害釘が植設されると共に、変動表示ゲームを行うための変動表示装置や球の入賞状態が変化する変動入賞装置といった大型の遊技装置のほか、種々の入賞口等が配置され、何れの入賞口にも入賞しなかった遊技球は、アウト口６ｃから回収される。
【００２７】
また、開閉部材５には、遊技者が遊技に際して操作する発射操作ハンドル８、発射用の遊技球を貯留して球供給位置へ供給する球貯留皿９などが設けられ、該球貯留皿９より供給位置に供給された遊技球が球送り機構（後に詳述）によって１個宛て発射装置１０の発射位置へ供給されると、弾発部材１０ａによって弾発され、発射誘導路１０ｂを介して遊技盤６の発射球導入路６ｂに向けて打ち上げられる。打ち上げられた遊技球は、その発射勢によって発射導入路６ｂを通過し、遊技領域６ａに到達するのである。
【００２８】
ここで、球貯留皿９の詳細構造について説明する。図３に示すのは、球貯留皿９が前面側に設けられた開閉部材５の上端縁に沿う遊技機１の横断平面図であり、球貯留皿９の球貯留凹部が上方から見える。
【００２９】
球貯留皿９には、図３に示すように、開閉部材５の前面から膨出する膨出外壁部９１と開閉部材５の前面壁とで囲まれる有底の空部として球貯留凹部が形成される。この球貯留凹部は、遊技球を貯留しておく比較的広い主貯留領域９ａと、該主貯留領域９ａの下流からなだらかに下方傾斜しつつ連通し遊技球が１個のみ通過し得る狭小な案内通路９ｂと、主貯留領域９ａよりも上流側に設けられ貸球導入領域９ｃとからなる。なお、貸球導入領域９ｃは、遊技機１に隣接された球貸ユニットの貸球排出ノズルから排出された遊技球を受け入れると共に、この貸球が自然流下して主貯留領域９ａに到達するような傾斜底面を有する領域である。
【００３０】
また、球貯留皿９の球貯留凹部内には、主貯留領域９ａの領域を区画する球誘導壁部９２を設け、主貯留領域９ａから案内通路９ｂへ遊技球が整列して滑らかに供給されるような領域形状を下流側に形成し、球誘導壁部９２の下流端に連なるように供給通路区画壁部９３を設け、この供給通路区画壁部９３と開閉部材５の前面との間の領域として案内通路９ｂが形成されるようにした。
【００３１】
更に、球貯留皿９の球貯留凹部内には、貸球導入領域９ｃの領域を区画する貸球導入壁部９４を設け、貸球導入領域９ｃから主貯留領域９ａへ遊技球が整列して滑らかに供給されるような領域形状を下流側に形成した。
【００３２】
遊技の開始に際して、遊技球が貯留されていない球貯留皿９に球貸ユニットの貸球排出ノズルから排出された遊技球は、貸球導入領域９ｃ上に落下するが、その底面傾斜によって主貯留領域９ａへ自然流下して行き、この主貯留領域９ａから更に案内通路９ｂへ流下して行く。なお、この案内通路９ｂの下流端に至った遊技球は、球供給機構（後に詳述）によって発射装置１０の発射位置へ１個宛て供給され、発射装置１０の駆動に伴って発射される。
【００３３】
案内通路９ｂが遊技球で満たされると、案内通路９ｂから溢れた遊技球が主貯留領域９ａに貯留され、案内通路９ｂ下端から発射装置１０へ供給されて減少した分だけ主貯留領域９ａから案内通路９ｂへ遊技球が順次供給されて行く。
【００３４】
遊技を終了する場合には、球貯留皿９の適所に設けた主球抜き操作部１１ａを操作（例えば、側方へスライド移動）することで、主貯留領域９ａの底面に開設した主球抜き口９５を開かせて、主球抜き流路１２ａへ球を流下させると共に、球貯留皿９の適所に設けた補助球抜き操作部１１ｂを操作（例えば、側方へスライド移動）することで、案内通路９ｂの流下端底部に開設した補助球抜き口９６を開かせて、補助球抜き流路１２ｂへ球を流下させる。主球抜き流路１２ａと補助球抜き流路１２ｂを介して球貯留皿９から抜き出された遊技球は、機外排出流路１２ｃを経て機外排出口１２ｄから遊技機１の外部へ排出される。このとき、球箱ＢＣを基台Ｂ上の適切な位置（図１を参照）に置いておけば、球貯留皿９から抜き出した遊技球を球箱ＢＣに貯めることができる。
【００３５】
一方、遊技中に賞として遊技者に与えられる賞球は、球排出装置（図示省略）から排出され、排出球流下路１３を経て貯留タンク１４に至る。以下、貯留タンク１４の詳細構造について説明する。
【００３６】
貯留タンク１４の球貯留空部１４ａは、上流部から下流部へ遊技球が自然流下可能な底面傾斜構造を有することで、賞球として貯留タンク１４の球貯留空部１４ａに流下してきた遊技球は、球貯留空部１４ａの最下流部に設けた球流出口１４ｂから流出する。なお、本構成例の貯留タンク１４においては、球貯留空部１４の底面は、後方から前方へ下り傾斜させると共に、左側方（開閉部材５の軸着側）から右側方へ下り傾斜させることで、最下流となる右側前部に球流出口１４ｂが、最上流となる左側後部に排出球受入口１４ｃが各々形成されるものとした。
【００３７】
また、貯留タンク１４は、前面枠３の前面側下方部に設けられて遊技盤６の底部が載置される遊技盤支持部材３３に設けたもので、開閉部材５を閉止したときに、球貯留皿９に形成した球流入口９ｄに連通する適所に球流出口１４ｂを開口させ、且つ、前面枠３が備える球排出装置から排出された遊技球が流下する排出球流下路１３の流下端が貯留タンク１４の排出球受入口１４ｃに接続される。
【００３８】
さらに、遊技盤支持部材３３には、貯留タンク１４の球流出口１４ｂを開放状態および閉止状態に相互変換できるシャッター部材１５を設け（図２を参照）、このシャッター部材１５による状態変換を開閉部材５の閉止・開放に連動させる。すなわち、開閉部材５が閉止されたときには、シャッター部材１５が貯留タンク１４の球流出口１４ｂを開放状態（図２において実線で示す位置）とし、球流出口１４ｂを球貯留皿９の球流入口９ｄと連通させ、開閉部材５が開放されたときには、シャッター部材１５が上方へスライド移動して貯留タンク１４の球流出口１４ｂを閉止状態（図２において破線で示す位置）とし、貯留タンク１４内の遊技球が球流出口１４ｂから溢れ出すのを防止する。
【００３９】
なお、シャッター部材１５の駆動機構は特に限定されるものではなく、電気的駆動源によりスライド移動するシャッター部材１５を開閉部材５の開放・閉止をセンサにより検知して電気的駆動源の作動・停止を制御するようにしても良いし、開閉部材５の開放・閉止動作に連動する機械的ギミックでシャッター部材１５を作動させるようにしても良いし、或いは、手動によりシャッター部材１５を移動させて球流出口１４ｂを閉止状態にするとロックが外れて開閉部材１５を開放することができるようなものでも構わない。
【００４０】
前述した貯留タンク１４を備えることで、開閉部材５が閉止されているときに、貯留タンク１４の球流出口１４ｂと球貯留皿９の球流入口９ｄとが連通しているので、遊技結果の賞として球排出装置から排出された賞球は、貯留タンク１４を介して球貯留皿９の主貯留領域９ａに導かれる。また、発射装置１０によって発射された遊技球の発射勢が足りないで遊技領域６ａに到達できず、発射球導入路６ｂを逆流してきた遊技球は、発射誘導路１０ｂの上端開口の一側方（図３においては左側方）および他側方（図３においては右側方）に各々設けた第１ファール球回収部１４ｄ１および第２ファール球回収部１４ｄ２にて回収し、ファール球流入路１４ｅを経て貯留タンク１４の主貯留領域１４ａへ流入させるので、この貯留タンク１４を介して球貯留皿９の主貯留領域９ａに導かれる。なお、球排出装置によって貸球を排出する構成とした場合には、球貸操作により球排出装置から排出された貸球も、貯留タンク１４を介して球貯留皿９の主貯留領域９ａへ導かれる。
【００４１】
そして、主貯留領域９ａに遊技球が貯まって、貯留タンク１４の球流出口１４ｂから球貯留皿９の主貯留領域９ａへ遊技球を排出できない状態になると、貯留タンク１４の球貯留空部１４ａの下流側から上流側へ徐々に遊技球が貯まって行くこととなる。
【００４２】
すなわち、特別遊技状態（比較的短時間に遊技者が多くの賞球を獲得できる遊技者に有利な遊技状態）の発生等に起因して、遊技に供して消費した遊技球（発射装置１０により遊技領域６ａへ発射した球）による貯留球の減少分よりも、遊技結果として獲得した賞球による貯留球の増加分が多くなると、案内通路９ｂはもとより主貯留領域９ａも遊技球で一杯となり、球排出装置から排出される賞球を球貯留皿９にて受入れることはできなくなるが、球貯留皿９に貯留できずに溢れた遊技球は貯留タンク１４に貯留されて行くので、上述した主球抜き操作部１１ａを操作して主貯留領域９ａから遊技球を抜き出す必要がない。
【００４３】
しかも、貯留タンク１４の球貯留空部１４ａは、上流部から下流部へ遊技球が自然流下可能であるから、例えば、特別遊技の終了に伴って遊技で獲得する賞球よりも遊技に消費した遊技球の方が多くなった場合でも、貯留タンク１４に貯留されている遊技球が球貯留皿９の主貯留領域９ａへ順次供給されて行くので、球貯留皿９の貯留容量を増大させたのと同様の効果がある。このように、遊技用の球を球貯留皿９と貯留タンク１４とで貯留しておく構成とすれば、特別遊技の発生などで貯留タンク１４が満杯になるぐらい多くの遊技球を獲得した場合、特別遊技の終了などに伴って獲得できる遊技球の量が減っても、球貯留皿９が空になるまでの遊技時間を長期化でき、次回の特別遊技が発生するまで球貯留皿９への球補充が不要になる可能性もあることから、遊技者の利便性向上を期せるのである。
【００４４】
また、貯留タンク１４は、例えば、透光性の合成樹脂等で形成することにより、球貯留空部１４ａ内に貯留されている遊技球が前面壁１４ｆから見えるようにしてある。これにより、開閉部材５に設けた貯留タンク前面透視窓１６から前面壁１４ｆを介して球貯留空部１４ａの前面側に貯留されている遊技球を遊技者が視認できるのである。なお、貯留タンク１４の球貯留空部１４ａは、後方から前方へ下降傾斜させてあるので、前面壁１４ｆに接している最前列の遊技球は遊技者から確認できるものの、その奥側にどの程度の遊技球が貯留されているかを貯留タンク前面透視窓１６から遊技者が正確に知ることは困難である。そこで、満杯センサ１７（例えば、静電誘導式非接触センサ）を貯留タンク１４の上流側適所における底壁下面に設け、この満杯センサ１７の検出情報に基づいて遊技制御部が遊技者に球抜き動作を促す報知（例えば、装飾部材４ｂの点灯・点滅制御や表示装置による文字情報表示等による満杯状態の視覚的報知、あるいはスピーカ４ｃの制御による警告音や音声の出力による満杯状態の聴覚的報知）を行うようにしても良い。
【００４５】
なお、本実施形態に係る遊技機１においては、開閉部材５の球貯留皿９の主貯留領域９ａから溢れた遊技球は、前面枠３に設けた貯留タンク１４にて貯留する構造としたが、これに限定されるものではなく、球貯留皿９の下方に下皿を設けておき、球貯留皿９に貯まった遊技球を下皿に抜き出して貯留しておくような構造の遊技機であっても構わない。
【００４６】
ここで、球貯留皿９に貯留された遊技球を発射装置１０へ供給する球送り機構１８につき説明する（例えば、図４を参照）。球送り機構１８は、開閉部材５の裏面側に設けられ、球供給皿９の案内通路９ｂの流下端にて後方に開口する供給口（図示省略）から発射球送り込み口１８１へ遊技球を１個宛て送り出す機能を備えるもので、遊技球を１個のみ受け入れ得る断面コ字状の球受け凹部１８２ａを備える球送り部材１８２を揺動自在に設け、常時は球受け凹部１８２ａの後方開口が発射球送り込み口１８１に臨む送球状態にある球送り部材１８２の上面を電磁石１８３にて吸引することで、球受け凹部１８２ａの前方開口が案内通路９ｂの流下端の供給口に臨む受球状態に変換させる。
【００４７】
すなわち、球送り機構１８の駆動源たる電磁石１８３がＯＮとなって球送り部材１８２を吸着すると受球状態に変換し、球供給皿９側の供給口から１個の遊技球が球受け凹部１８２ａに送り込まれ、電磁石１８３がＯＦＦとなって球送り部材１８２が開放されると自重により下方へ回動して送球状態に変換し、球受け凹部１８２ａに保持された遊技球が発射球送り込み口１８１を介して開閉部材５の後方へ送り出されるのである。なお、本構成例の球送り機構１８による球送り動作は、遊技機制御部からの制御により電磁石１８３のＯＮ／ＯＦＦさせることで、発射装置１０の弾発動作と同期して行わせるものとしたが、例えば、発射装置１０による発射動作と連携するリンク機構を介して、球送り動作が機械的に行われる構造を採用しても構わない。
【００４８】
上記のような球送り機構１８が設けられる開閉部材５は、発射装置１０に対して回動可能に保持されるもので、軸着側に設ける軸着部として、上面に開閉部材ヒンジ孔５１を開設し、下面からは開閉部材ヒンジ軸５２の下端が延出するものとした。常態における開閉部材ヒンジ軸５２は、コイルスプリングよりなる付勢部材５３によって下方に押圧され、軸着部の下面より突出した状態にあるが、開閉部材ヒンジ軸５２の上部を屈曲させて形成した操作部５２ａを操作開口５４から手指を差し込んで持ち上げると、開閉部材ヒンジ軸５２の下端が軸着部の下面から引っ込む。
【００４９】
一方、開閉部材１０を回動可能に保持する発射装置１０は、発射ベース部材１０１の取付ベース部１０１ａの前面側に、遊技球を弾発する弾発部材１０２と、該弾発部材１０２により弾発された遊技球を発射球導入路６ｂへガイドする発射球ガイド部材１０３を設け、取付ベース部１０１ａの裏面側に、弾発部材１０２を駆動する駆動源たるロータリーソレノイド１０４を設けたものである。なお、発射装置１０の弾発部材１０２が遊技球を直上方へ打ち上げるような構造とした場合には、その自然な弾発軌道で発射球を遊技盤６の発射球導入路６ｂへ到達させることができるので、発射球ガイド部材１０３等のガイド手段を発射装置１０に設けて発射球導入路６ｂまでガイドする必要はない。
【００５０】
発射ベース部材１０１は、例えば金属製の板材を折り曲げ加工して形成でき、取付ベース部１０１ａの一側（軸着側）で前側に立ち上がる屈曲部１０１ｂと、該屈曲部１０１ｂの前側端から一側（軸着側）へ屈曲するヒンジ機構部１０１ｃを備える。そして、ヒンジ機構部１０１ｃの上端部には、例えば前方に延出する上部ヒンジ１０５を設け、ヒンジ機構部１０１ｃの下端部には、例えば前方に延出する下部ヒンジ１０６を設け、上部ヒンジ１０５の下面から延出する開閉部材用ヒンジ軸１０５ａを開閉部材５の開閉部材ヒンジ孔に嵌合させると共に、下部ヒンジ１０５に設けた開閉部材用ヒンジ孔１０６ａに開閉部材５の開閉部材ヒンジ軸５２を嵌入すれば、発射装置１０にて開閉部材５を開閉可能に保持できるのである（図５を参照）。すなわち、発射ベース部材１０１には、開閉部材３を開閉可能に軸着する軸着部として、上下部ヒンジ１０５，１０５を備えるヒンジ機構部１０１ｃを形成したのである。
【００５１】
また、発射ベース部材１０１のヒンジ機構部１０１ｃの上端は、少なくとも取付ベース部１０１ａの上縁部１０１ａ１よりも適宜上方となるように形成し、この発射装置１０が前面枠３の発射装置取付部３４（後に詳述）に固定保持されたときには、概ね、透明部材保持枠４の下端部と開閉部材５の上端部との境界近傍に位置させる。これにより、取付ベース１０１の上部ヒンジ１０５の上面に突設した透明部材保持枠用ヒンジ軸１０５ｂと、前面枠３の軸着側上部適所に設けた透明部材保持枠用ヒンジ３５のヒンジ孔３５ａとで、透明部材保持枠４を前面枠３に開閉可能に保持する。すなわち、本構成例の発射装置１０においては、透明部材保持枠４を保持するためのヒンジ機能の一部を担うものとしたので、透明部材保持枠４を保持する下部ヒンジを前面枠３へ別途取り付ける作業を要しないので、この点からも組み立て作業の効率化を期せる。なお、ヒンジ機構部１０１ｃの下端と取付ベース部１０１ａの下縁部１０１ｂとは同一位置としたが、取付ベース部１０１ａの下縁部１０１ｂがヒンジ部１０１ｃの下端より上方に位置するような形状としても構わない。
【００５２】
上記のように開閉部材５を開閉可能に保持できる発射装置１０において、内部に発射球誘導路１０ｂが形成される四角筒状の発射球ガイド部材１０３の前面側下方部には、発射球取込口１０３ａが開設してあり、開閉部材５を閉止したときには、球送り機構１８の発射球送り込み口１８１が発射球取込口１０３ａに一致することで、球送り機構１８から送り出された遊技球が発射球取込口１０３ａを経て発射球ガイド部材１０３内へ取り込まれ、発射球ガイド部材１０３の下端に設けた球受け突部１０３ｂに受け止められる発射位置にて遊技球が待機する。本実施形態に係る遊技機１の如く、開閉部材５を発射装置１０に開閉可能に取り付ける構造とすれば、開閉部材５の発射球送り込み口１８１と発射装置１０の発射球取込口１０３ａとの位置合わせに十分な加工精度を容易に実現できるので、組み立て工程を簡素化できる。
【００５３】
弾発部材１０２は、略く字状に屈曲した部材で、例えば、上部に設けた回動軸がロータリーソレノイド１０４の駆動軸と連結され、ロータリーソレノイド１０４の駆動によって弾発部材１０２の下方部である自由端側が回動すると、弾発部材１０２に設けた弾発部１０ａが発射球ガイド部材１０３の下部開口から突入し、発射位置にて待機する遊技球を弾発する。なお、弾発部材１０２の回動範囲は、有弾性素材で形成した弾発側ストッパ部材１０７ａと待機側ストッパ部材１０７ｂにより規制する。また、弾発部材１０２による動作は、ロータリーソレノイド１０４による往復回動方式に限定されるものではなく、例えば、リニアソレノイドのプランジャ先端を弾発部とし、プランジャの伸縮動作で遊技球を弾発する構造を採用しても構わない。
【００５４】
弾発部材１０２の弾発部１０ａにより発射勢を与えられた遊技球は、発射球ガイド部材１０３内の発射誘導路１０ｂを経て遊技盤６の発射球導入路６ｂへ導入されることとなるが、本構成例においては、発射装置１０の発射球ガイド部材１０３を取付ベース１０１ａの上縁部１０１ａよりも適宜上方へ延出させておき、発射球ガイド部材１０３の上部開口端（発射誘導路１０ｂの上端）が、前面枠３に収容された遊技盤６の発射球導入路６ｂの下端まで延出するようにしたので、発射誘導路１０ｂから発射球導入路６ｂへ至る間に極端な段差が生ずることを抑制できる。よって、弾発部材１０２に弾発された遊技球は発射球ガイド部材１０３から発射球導入路６ｂへ円滑に導入されることとなり、ムラ飛び防止に有効である。加えて、本構成例においては、発射球ガイド部材１０３の上部が、貯留タンク１４の第１ファール球回収部１４ｄ１と第２ファール球回収部１４１ｄ２との間に定置される構造としたので、強い発射勢で打ち出される遊技球が発射球導入路６ｂ内を通過する際の衝撃で発射球ガイド部材１０３の上部が振動することを効果的に防止できるので、一層安定した発射動作を期せる。
【００５５】
次に、発射装置１０を前面枠３の発射装置取付部３４に取り付ける具体的構造を説明する。発射装置取付部３４は、遊技盤支持部材３３の軸着側（図２においては左側）下部に形成され、発射装置１０を収容可能な形状に後方へ窪む発射装置収容空部内に発射装置１０を収容し、発射装置固定手段によって固定保持するものである。この発射装置固定手段は、発射装置収容空部内で発射ベース部材１０１が動くことを抑制して固定する固定状態と、発射装置収容空部から発射装置１０を取り外せる固定解除状態と、に変換可能なもので、発射装置１０の着脱を容易に行える構造としたが、例えば、ネジ止め等で発射装置１０を固定しても構わない。
【００５６】
また、発射装置取付部３４の発射装置収容空部３４１は、発射ベース部材１０１の形状に適合するように、取付ベース１０１ａを受け入れ得る奥行を有する主収容空部３４１ａと、ヒンジ機構部１０１ｃの裏面が当着もしくは近接し得るよう前側に膨出したヒンジ機構収容空部３４１ｂとからなり、例えば、主収容空部３４１ａの裏面壁３４２には駆動源挿通孔３４２ａを開設することで、ロータリーソレノイド３４１ａが駆動源挿通孔３４１ａから裏面へ延出できるので、取付ベース１０１の背面が発射装置取付部３４の裏面壁３４１に当着もしくは近接するように発射装置１０を収容できる。
【００５７】
主収容空部３４１ａの上壁部３４３と下壁部３４４との間は、概ね取付ベース１０１ａの上下幅に一致するか若干広めとなるように形成すると共に、例えば、下部壁３４４の上面側に後方に向って突出量が増大する緩やかな傾斜のガイド突起部３４４ａを所定数（例えば３箇所）設け、また、ヒンジ機構収容空部３４１ｂの左側壁３４５には、ヒンジ機構部１０１ｃの裏面が膨出後壁部３４６に当着または近接したときに、発射ベース部材１０１の第１側部（ヒンジ機構部１０１ｃの軸着側端縁部）である左側縁部１０１ｃ１の前面に係合するガイド係合部３４５ａを所定数（例えば、上下に３箇所）設けておく。なお、本構成例の発射装置取付部３４においては、ヒンジ機構収容空部３４１ｂの底部にもガイド突起部３４４ｂを設けてある。
【００５８】
上記のように構成した発射装置取付部３４の発射装置収容空部３４１へ発射装置１０を前方から取り付けるとき、先ず、ヒンジ機構部３４６の左側縁部１０１ｃをガイド係合部３４５ａの後面に沿わせて、左側壁３４５に当着させるように押し込み、発射ベース部材１０１の第２側部（取付ベース１０１ａの反軸着側端縁部）である右側縁部１０１ａ３側を自由端として後方回動させるように発射装置収容空部３４１へ前方から押し込んでゆくと、取付ベース１０１ａの下縁部１０１ａ２はガイド突起部３４４ａによって徐々に上方へ押し上げられるので、取付ベース１０１ａの上縁部１０１ａ１は上壁３４３に押圧され、上下動しないように保持される。
【００５９】
すなわち、本構成例においては、ヒンジ機構収容空部３４１ｂの左側壁３４５にガイド係合部３４５ａを設けることにより、「発射装置収容空部の一側方に設けられ、発射ベース部材の第１側部を係合させることで、発射ベース部材を前後動困難に保持する側部係合部」を構成し、下部壁３４４にガイド突起部３４４ａを設けることにより、「発射装置収容空部の上下幅を後方に向って狭小ならしめる上下動抑制部」を構成した。
【００６０】
さらに、発射ベース部材１０１の第２側部である右側縁部１０１ａ３側を固定保持するために、本構成例の発射装置取付部３４においては、主収容空部３４１ａの右側方には、固定部材３４７を設けた。この固定部材３４７が、「発射装置収容空部の他側方に設けられ、前記側部係合部に第１側部が係合された発射ベース部材の他側である第２側部を前後動困難に固定する固定状態と、発射ベース部材の第２側部を前後動可能に開放する固定解除状態とに変換可能な固定部材」である。
【００６１】
図２に示すように、固定部材３４７は、回動部３４７１が前後方向の回動軸３４７２にて回動自在に前面枠３に軸着され、回動部３４７１から側方（回動軸３４７２に直交する向き）に延出する固定腕部３４７３の背面から裏面壁３４２の前面までの距離が、概ね発射ベース部材１０１の取付ベース１０１ａの板厚に等しく設定してある。従って、固定腕部３４７３が発射装置収容空部３４１から退避するように回動部３４７１を回動させた固定解除状態にして、上述した如く発射装置１０を発射装置収容空部３４１へ押圧挿入した後、回動部３４７１を回動させて、発射装置収容空部３４１内に収容された発射ベース部材１０１の第２側部である取付ベース１０１ａの右側縁部１０１ａ３の前面に固定腕部３４７３を係合させることで、固定状態に変換できる。なお、固定部材３４７の回動変換操作を容易にできるよう、本構成例の固定部材３４７では、手指でつまめる程度の操作部３４７４を固定腕部３４７３の前面側に突出形成してある。
【００６２】
更に、本構成例の固定部材３４７においては、固定腕部３４７３の回動部３４７１側の基端に側方押圧部３４７５を設けてある。この側方押圧部３４７５は、固定腕部３４７３を固定状態から固定解除状態に変換するよう回動させる方向（図２におけるＡ方向）に向って、固定部材３４７の回動中心からの離隔距離が徐々に長くなるような曲面形状を備えるので、固定腕部３４７３を固定解除状態から固定状態に変換する方向（反Ａ方向）へ回動させて行くと、側方押圧部３４７５と右側縁部１０１ａ３の側面との距離は縮まり、やがて当着し、更には左側へ押し込むようになる。したがって、固定腕部３４７１を取付ベース１０１ａの右側縁部１０１ａ３の前面に係合させる方向へ回動すると、側方押圧部３４７５が右側縁部１０１ａ３の側面を左側へ押圧し、発射装置１０が左右方向にガタつくことがないように固定できる。すなわち、固定部材３４７に設けた側方押圧部３４７５は、「固定部材を固定解除状態から固定状態へ変換することに伴って、発射ベース部材の第２側部を第１側部へ押圧する側方移動抑制部」として機能するのである。
【００６３】
このように、本実施形態に係る遊技機１では、比較的簡単な構造で実現した発射装置取付部３４の発射装置収容空部３４１へ前面側から発射装置１０を固定保持する取付手法を採用したので、前面枠３の裏面から発射装置を取り付ける旧来の取付手法に比べて、格段に作業性が良くなる。しかも、発射装置１０の発射ベース部材１０１を発射装置収容空部３４１の後方へ押し込んで行くだけで、下壁部３４４に設けたガイド突起３４４ａによって発射ベース部材１０１を上下動困難に固定できると共に、取付ベース１０１ａの上縁部１０１ａ１が発射装置取付部３４の上壁部３４３と、取付ベース１０１ａの下縁部１０１ａ２が発射装置取付部３４の下壁部３４４上面のガイド突起３４４ａと各々接触することで側方への動きに対して摺動抵抗が生じ、発射ベース部材１０１の左右方向への動作も抑制される。更に、発射ベース部材１０１の左側縁部１０１ｃ１が左側壁３４５のガイド係合部３４５ａにより、発射ベース部材１０１の右側縁部１０１ａ３が固定部材３４７の固定腕部３４７３により各々前後動困難に固定され、併せて、固定部材３４７が固定解除状態から固定状態へ変換されることに伴って、固定部材３４７の側方押圧部３４７５が発射ベース部材１０１を側方移動困難に固定して行くので、発射ベース部材１０１の左右方向への動作抑制がより強固なものとなる。
【００６４】
以上本発明を実施形態に基づき具体的に説明したが、本明細書で開示された実施の形態は例示であって、開示された技術に限定されるものではないと考えるべきである。すなわち、本発明の技術的な範囲は、上記の実施形態における説明に基づいて制限的に解釈されるものではなく、あくまでも特許請求の範囲の記載に従って解釈すべきであり、特許請求の範囲の記載技術と均等な技術および特許請求の範囲内での全ての変更が含まれる。
【００６５】
例えば、固定状態と固定解除状態とに変換可能な固定部材は、固定腕部を回動させるタイプに限定されるものではなく、横方向にスライド移動可能な構造とし、固定部材が発射ベース部材の第２側部の前面に係合して前後動困難に保持すると同時に、コイルスプリング等の付勢手段により付勢された固定部材が発射ベース部材の第２側部を第１側部側へ押圧することで、側方移動抑制部としても機能するようにしても良い。
【図面の簡単な説明】
【００６６】
【図１】本実施形態に係る遊技機の正面図である。
【図２】前面枠の正面図である。
【図３】貯留タンクの上方を水平方向に切断した遊技機の横断平面図である。
【図４】発射装置と開閉部材を分離させた状態の斜視図である。
【図５】発射装置に開閉部材を軸着固定した状態の斜視図である。
【図６】前面枠から発射装置を取り外した状態の斜視図である。
【符号の説明】
【００６７】
１      遊技機
３      前面枠
３４    発射装置取付部
３４１  発射装置収容空部
５      開閉部材
５１    開閉部材ヒンジ孔
５２    開閉部材ヒンジ軸
６      遊技盤
６ａ    遊技領域
６ｂ    発射球導入路
９      球貯留皿
１０      発射装置
１０１    発射ベース部材
１０１ｃ  ヒンジ機構部
１０２    弾発部材
１０３    発射球ガイド部材
１０４    ロータリーソレノイド
１０５    上部ヒンジ
１０５ａ  開閉部材用ヒンジ軸
１０６    下部ヒンジ
１０６ａ  開閉部材用ヒンジ軸
【図１】
2007190259.tif 000003
【図２】
2007190259.tif 000004
【図３】
2007190259.tif 000005
【図４】
2007190259.tif 000006
【図５】
2007190259.tif 000007
【図６】
2007190259.tif 000008